(57)【要約】      （修正有）【課題】ディスプレーを具えるプッシュ及びタッチ方式コントロール装置を提供する。【解決手段】下ハウジング１２と、該下ハウジング１２上に設ける上ハウジング１１と、によってなるハウジングと、該下ハウジング１２上に設けるキーベース部２と、該ハウジングに内設され、該キーベース部２を選択的に押圧するキー下カバー３２と、該キーベース部２と該キー下カバー３２との間に設ける弾性部材と、該キー下カバー３２上に設ける信号プレート４と、一端が該信号プレート４に接続し、他端が該下ハウジング１２から該ハウジングの外部に出る信号接続部材４１と、貫通孔１３が穿設され、かつ該キー下カバー３２上に設けられて該信号プレート４を固定するキー上カバー３１と、該キー上カバー３１上に設けられ、かつ該信号プレート４に信号接続する表示モジュール５と、該表示モジュー５上に設けられ、かつ該貫通孔１３上に位置し、該信号プレート４と信号接続するタッチコントロール素子６と、を含んでなる。【選択図】図２
0003219461.tif 000002
【実用新案登録請求の範囲】
【請求項１】
下ハウジングと、該下ハウジング上に設ける上ハウジングと、によってなるハウジングと、
該下ハウジング上に設けるキーベース部と、
該ハウジングに内設され、該キーベース部を選択的に押圧するキー下カバーと、
該キーベース部と該キー下カバーとの間に設ける弾性部材と、
該キー下カバー上に設ける信号プレートと、
一端が該信号プレートに接続し、他端が該下ハウジングから該ハウジングの外部に出る信号接続部材と、
貫通孔が穿設され、かつ該キー下カバー上に設けられて該信号プレートを固定するキー上カバーと、
該キー上カバー上に設けられ、かつ該信号プレートに信号接続する表示モジュールと、
該表示モジュー上に設けられ、かつ該貫通孔上に位置し、該信号プレートと信号接続するタッチコントロール素子と、を含んでなることを特徴とするディスプレーを具えるプッシュ及びタッチ方式コントロール装置。
【請求項２】
前記信号接続部材の該信号プレートに接続する側の一端とは逆の一端が制御回路基板に接続することを特徴とする請求項１に記載のディスプレーを具えるプッシュ及びタッチ方式コントロール装置。
【請求項３】
前記キーベース部上に固定部材を設け、該固定部材を該下ハウジングにねじ込んで螺着することを特徴とする請求項１に記載のディスプレーを具えるプッシュ及びタッチ方式コントロール装置。
【請求項４】
前記上ハウジングに少なくとも１以上の上ハウジング接続部を設け、該下ハウジングに少なくとも１以上の下ハウジング接続部を設け、該下ハウジング接続部に該上ハウジング接続部が接続することを特徴とする請求項１に記載のディスプレーを具えるプッシュ及びタッチ方式コントロール装置。
【請求項５】
前記キー上カバーに少なくとも１以上の上キー接続部を設け、該キー下カバーに少なくとも１以上の下キー接続部を設け、該下キー接続部に該上キー接続部が接続することを特徴とする請求項１に記載のディスプレーを具えるプッシュ及びタッチ方式コントロール装置。
【請求項６】
前記キー下カバーに、該弾性部材の位置を制限する少なくとも１以上の位置制限部材を設けることを特徴とする請求項１に記載のディスプレーを具えるプッシュ及びタッチ方式コントロール装置。
【考案の詳細な説明】
【技術分野】
【０００１】
この考案は、キープッシュ、タッチコントロール、ディスプレー表示の機能を同時に有するディスプレーを具えるプッシュ及びタッチ方式コントロール装置に関する。
【背景技術】
【０００２】
一般論として、最も常用される機械のツールとして操作レバーと押しボタンが挙げられる。多くの機械は、この二つのツールによって操作システムを構築する。操作レバーの多くは、位置、方向の調整に用いられる。押しボタンはかなり多岐にわたり分類され、使用目的に合わせ多様化されていて、位置、方向を同時に調整できるのみならず、さらに開閉を制御する機能を有する。但し、押しボタンは、一般に制御の機能のみに用いられる。例えばプッシュキー、又はタッチコントロールの形態であるが、同時に多種の方式の制御寳保を具えて行なう機能はなく、制御を行なった結果をボタン上に表示する機能も具えていない。
【考案の概要】
【考案が解決しようとする課題】
【０００３】
この考案は、タッチコントロール素子と、表示モジュールと、プッシュキー構造部とを具え、キープッシュかタッチコントロールで制御することができ、かつ結果を表示モジュールに表示することができるというマルチ機能を有する、ディスプレーを具えるプッシュ及びタッチ方式コントロール装置を提供することを課題とする。
【課題を解決するための手段】
【０００４】
この考案によるコントロール装置は、キープッシュ、タッチコントロール、ディスプレー表示の機能を同時に有し、即ち、下ハウジング及び該下ハウジング上に設ける上ハウジングによってなるハウジングと、該下ハウジング上に設けるキーベース部と、該ハウジングに内設され該キーベース部を選択的に押圧するキー下カバーと、該キーベース部と該キー下カバーとの間に設ける弾性部材と、該キー下カバー上に設ける信号プレートと、一端が該信号プレートに接続し、他端が該下ハウジングから該ハウジングの外部に出る信号接続部材と、貫通孔が穿設され、かつ該キー下カバー上に設けられて該信号プレートを固定するキー上カバーと、該キー上カバー上に設けられ、かつ該信号プレートに信号接続する表示モジュールと、該表示モジュー上に設けられ、かつ該貫通孔上に位置し、該信号プレートと信号接続するタッチコントロール素子と、を含んでなり、該キー下カバーがキーベース部に対して、押圧を受けて選択的に接触するとともに、弾性部材の付勢力で元の位置に戻る。また、表示モジュールとタッチコントロール素子は、いずれも信号プレートに信号接続する。
【図面の簡単な説明】
【０００５】
【図１】この考案によるコントロール装置の斜視図である。
【図２】この考案によるコントロール装置の分解図である。
【図３】この考案によるコントロール装置を他の角度から見た分解図である。
【図４】この考案におけるキーベース部を固定部材で固定する態様を示した説明図である。
【図５】この考案におけるキー上カバーを係合させる態様を示した説明図である。
【図６】この考案におけるハウジングを組み立てる態様を示した説明図である。
【図７】この考案によるコントロール装置にドラッグを行なう状態を示した説明図である。
【図８】この考案によるコントロール装置にドラッグを行なった後の状態を示した説明図である。
【図９】この考案によるコントロール装置をプッシュする状態を示した説明図である。
【図１０】この考案によるコントロール装置をプッシュする状態を示した断面図である。
【図１１】この考案によるコントロール装置をプッシュした後の状態を示した説明図である。
【図１２】この考案によるコントロール装置をプッシュした後の状態を示した断面図である。
【考案を実施するための形態】
【実施例】
【０００６】
図１は、この考案の実施例によるコントロール装置の斜視図であり、図２、図３は、それぞれ異なる角度から見た分解図である。
【０００７】
図面の開示から明らかなように、この考案によるコントロール装置は、ハウジング１と、キーベース部２と、キー下カバー３２と、弾性部材３３と、信号プレート４と、信号接続部材４１と、キー上カバー３１と、表示モジュール５と、貫通孔１３と、タッチコントロール素子６とを含んでなる。
【０００８】
ハウジング１は、下ハウジング１２と上ハウジング１１とを含み、下ハウジング１２と上ハウジング１１とが連結することによってハウジング１を構成する。実施例において、上ハウジング１１には上ハウジング接続部１１１を形成し、下ハウジング１２には下ハウジング接続部１２１を形成し、上ハウジング接続部１１１に下ハウジング接続部１２１が接続することによって下ハウジング１２と上ハウジング１１とが連結する。実施例においては、係合させて接続する方式を採用するが、但し、係る方式に限定しない。
【０００９】
キーベース部２は、固定部材２１によって、下ハウジング１２に固定する。キー下カバー３２はハウジング１内に設け、キー下カバー３２とキーベース部２との間には弾性部材３３を設けるとともに、キー下カバー３２には２つの位置制限部３２２を形成する。よって、弾性部材３３の位置は位置制限部３２２上に制限される。弾性部材３３は圧縮コイルばねである。係る構成により、キー下カバー３２はキーベース部２に対して、押圧を受けて選択的に接触するとともに、弾性部材３３の付勢力で元の位置に戻る。
【００１０】
信号プレート４はキー下カバー３２上に設ける。信号プレート４は周知の回路版であって、信号の送受信を行なう。信号接続部材４１は、一端が信号プレート４に接続し、他端が下ハウジング１２を通過してハウジング１の外部に出る。キー上カバー３１は、キー下カバー３２上に設ける。係る構成により信号プレート４を固定する。また、実施例においてはキー上カバー３１に少なくとも１以上の上キー接続部３１１を設け、キー下カバー３２に少なくとも１以上の下キー接続部３２１を設け、かつ上キー上接続部３１１と下キー接続部３２１とが接続してキー上カバー３１をキー下カバー３２に固定する。
【００１１】
表示モジュール５はキー上カバー３１に設け、かつ信号プレート４に信号接続する。上ハウジング１１には貫通孔１３を穿設する。タッチコントロール素子６は、貫通孔１３及び表示モジュール５の上方に位置し、同様に信号プレート４に信号接続する。タッチコントロール素子５はタッチパネルであって、表示モジュール５はＬＥＤディスプレーであってもよいが、但し、これらに制限することはない。
【００１２】
図１から図１２の開示から明らかなように、上述するそれぞれの部材を組み立てる場合、先ず、キーベース部２を固定部材２１に固定する。よって、下ハウジング１２に固定する。固定方式は、係止か、又は螺着などの方式を用いるが、但し、これらに限定することはない。
【００１３】
次に、実施例において固定部材２１はねじ山を螺刻したねじ込み式として螺合方式でキーベース部２を下ハウジング１２に固定し、次いで弾性部材３３をキー下カバー３２の位置制限部３２２に入れる。さらに、キー下カバー３２を下ハウジング１２内に配設して、押圧を受けて選択的にキーベース部２に選択的に接触するようにする。また、信号プレート４キー下カバー３２上に置いてキー上カバー３１の上キー接続部３１１を下キー接続部３２１に係合させる。よって、キー上カバー３１は、キー下カバー３２上に固定され、信号プレート４はキー上カバー３１とキー下カバー３２内に固定され、かつ信号接続部材４１が下ハウジング１２を通過してキーベース部２の一方の側に位置する。
【００１４】
表示モジュール５とタッチコントロール素子６は、キー上カバー３１上に設け、かついずれも信号プレート４に信号接続する。さらに、上ハウジング接続部１１１と下ハウジング接続部１２１によって上ハウジング１１を下ハウジング１２に固定し、かつタッチコントロール素子６が貫通孔１３を通過するように構成する。
【００１５】
この考案によるコントロール装置を使用する場合、信号部材４１とキーベース部２を制御回路基板に接続する。このため信号が該制御回路基板に伝送されるか、又は該制御回路基板を介して信号が信号プレート４に伝送され、使用者はタッチコントロール素子６にタップするか、ドラッグすることができるようになり、信号が信号プレート４と信号接続部材４１を介して、信号が制御回路基板に伝送される。または、タッチコントロール素子６を押下して、キー上カバー３１とキー下カバー３２とを連動させることで、キーベース部２が押圧され、信号をキーベース部２から制御回路基板に伝送されるとともに、次いでタッチコントロール素子６と、キー上カバー３１と、キー下カバー３２とが弾性部材３３の付勢力によって同時に元の位置に戻る。制御回路基板は入力した信号に基づき情報をフィードバックし、かつ信号接続部材４１と信号プレート４を介して表示モジュール５に伝送する。
【００１６】
表示モジュール５は、タッチコントロール素子６がタップされたか、押下されたかによって表示を調整する。例えば、右から左へドラッグするとＣｌｏｓｅ（オフ）の表示がＯｐｅｎ（オン）に変換され、もしくはタッチコントロール素子６を押下すると表示モジュール５が発光するなどである。但し、これら方式は一例にすぎず、これらに限定するものではない。
【００１７】
以上の構成により、タッチコントロールとキープッシュ方式を同時に具えるとともに表示機能を具え、使用上の効果を多様化させることができる。したがって、この考案によるコントロール装置は、タッチコントロール素子６と、表示モジュール５と、キーベース部２を具えることによって、同時にタッチコントロールとプッシュとによるコントロール方式が得られ、さらに情報を表示モジュール５に伝送して表示し、使用上の効果を多様化させて、従来の技術の多様性に欠けるという欠点を改善する。
【符号の説明】
【００１８】
１      ハウジング
１１    上ハウジング
１１１  上ハウジング接続部
１２    下ハウジング
１２１  下ハウジング接続部
１３    貫通孔
２      キーベース部
２１    固定部材
３１    キー上カバー
３１１  上キー接続部
３２    キー下カバー
３２１  下キー接続部
３２２  位置制限部
３３    弾性部材
４      信号プレート
４１    信号接続部材
５      表示モジュール
６      タッチコントロール素子
【図１】
0003219461.tif 000003
【図２】
0003219461.tif 000004
【図３】
0003219461.tif 000005
【図４】
0003219461.tif 000006
【図５】
0003219461.tif 000007
【図６】
0003219461.tif 000008
【図７】
0003219461.tif 000009
【図８】
0003219461.tif 000010
【図９】
0003219461.tif 000011
【図１０】
0003219461.tif 000012
【図１１】
0003219461.tif 000013
【図１２】
0003219461.tif 000014